【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
基地局によるワイヤレス通信の方法であって、
異なるタイプの複数の第1の同期信号のうちの少なくとも1つおよび異なるタイプの複数の第2の同期信号のうちの少なくとも1つの時分割多重化(TDM)を実行することによって、複数の同期信号を処理するステップであって、前記複数の同期信号が、前記複数の第1の同期信号および前記複数の第2の同期信号を含む、ステップと、
前記処理された同期信号をユーザ機器(UE)に送信するステップとを備え、
前記複数の第1の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含み、
前記ESSまたは前記PBCH信号の復調基準信号(DMRS)のうちの少なくとも1つが、同期信号ブロックインデックスの少なくとも一部を搬送するために使用される、方法。
【請求項２】
ユーザ機器(UE)によるワイヤレス通信の方法であって、
多重化を用いて処理される複数の同期信号を受信するステップであって、前記複数の同期信号が、異なるタイプの複数の第1の同期信号および異なるタイプの複数の第2の同期信号を含む、ステップと、
前記複数の第1の同期信号のうちの少なくとも1つおよび前記複数の第2の同期信号のうちの少なくとも1つの時分割逆多重化を実行することによって、前記処理された複数の同期信号を逆多重化するステップとを備え、
前記複数の第1の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含み、
前記ESSまたは前記PBCH信号の復調基準信号(DMRS)のうちの少なくとも1つが、同期信号ブロックインデックスの少なくとも一部を搬送する、方法。
【請求項３】
前記処理された複数の同期信号を逆多重化するステップが、
前記複数の第1の同期信号のうちの少なくとも2つおよび前記複数の第2の同期信号のうちの少なくとも2つの前記時分割逆多重化を実行するステップと、
前記複数の第1の同期信号のうちの前記少なくとも2つの周波数分割逆多重化、または、前記複数の第1の同期信号のうちの前記少なくとも2つの時分割逆多重化、のうちの少なくとも1つを実行するステップと、
前記複数の第2の同期信号のうちの少なくとも2つの周波数分割逆多重化、または、前記複数の第2の同期信号のうちの少なくとも2つの時分割逆多重化、のうちの少なくとも1つを実行するステップとを備える、請求項2に記載の方法。
【請求項４】
前記複数の同期信号が、複数のデータチャネル信号のうちの少なくとも1つとの前記複数の同期信号のうちの少なくとも1つの周波数分割多重化(FDM)を実行することなく処理される、請求項2に記載の方法。
【請求項５】
前記複数の第2の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含む、請求項2に記載の方法。
【請求項６】
前記複数の同期信号を受信するステップが、基地局の複数のビームのうちの少なくとも1つのビームを介して送信される同期信号ブロックを受信するステップであって、前記同期信号ブロックが前記処理された同期信号のうちの2つ以上を含む、ステップを備える、請求項2に記載の方法。
【請求項７】
前記複数の同期信号を受信するステップが、
前記複数の同期信号の第1のグループを受信することによって第1の送信を受信するステップと、
前記第1の送信の1つまたは複数の反復送信を受信するステップであって、前記第1の送信の前記1つまたは複数の反復送信の各々が前記第1の送信の反復を含む、ステップとを備え、
前記第1の送信および前記第1の送信の前記1つまたは複数の反復送信が第1の同期サブフレーム内で受信される、請求項2に記載の方法。
【請求項８】
ワイヤレス通信のための基地局であって、
異なるタイプの複数の第1の同期信号のうちの少なくとも1つおよび異なるタイプの複数の第2の同期信号のうちの少なくとも1つの時分割多重化(TDM)を実行することによって、複数の同期信号を処理するための手段であって、前記複数の同期信号が、前記複数の第1の同期信号および前記複数の第2の同期信号を含む、手段と、
前記処理された同期信号をユーザ機器(UE)に送信するための手段とを備え、
前記複数の第1の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含み、
前記ESSまたは前記PBCH信号の復調基準信号(DMRS)のうちの少なくとも1つが、同期信号ブロックインデックスの少なくとも一部を搬送するために使用される、基地局。
【請求項９】
ワイヤレス通信のためのユーザ機器(UE)であって、
多重化を用いて処理される複数の同期信号を受信するための手段であって、前記複数の同期信号が、異なるタイプの複数の第1の同期信号および異なるタイプの複数の第2の同期信号を含む、手段と、
前記複数の第1の同期信号のうちの少なくとも1つおよび前記複数の第2の同期信号のうちの少なくとも1つの時分割逆多重化を実行することによって、前記処理された複数の同期信号を逆多重化するための手段とを備え、
前記複数の第1の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含み、
前記ESSまたは前記PBCH信号の復調基準信号(DMRS)のうちの少なくとも1つが、同期信号ブロックインデックスの少なくとも一部を搬送する、UE。
【請求項１０】
前記処理された複数の同期信号を逆多重化するための手段が、
前記複数の第1の同期信号のうちの少なくとも2つおよび前記複数の第2の同期信号のうちの少なくとも2つの前記時分割逆多重化を実行することと、
前記複数の第1の同期信号のうちの前記少なくとも2つの周波数分割逆多重化、または、前記複数の第1の同期信号のうちの前記少なくとも2つの時分割逆多重化、のうちの少なくとも1つを実行することと、
前記複数の第2の同期信号のうちの少なくとも2つの周波数分割逆多重化、または、前記複数の第2の同期信号のうちの少なくとも2つの時分割逆多重化、のうちの少なくとも1つを実行することとを行うように構成される、請求項9に記載のUE。
【請求項１１】
前記複数の同期信号が、複数のデータチャネル信号のうちの少なくとも1つとの前記複数の同期信号のうちの少なくとも1つの周波数分割多重化(FDM)を実行することなく処理される、請求項9に記載のUE。
【請求項１２】
前記複数の第2の同期信号が、1次同期信号(PSS)、2次同期信号(SSS)、ビーム基準信号(BRS)、拡張同期信号(ESS)、または物理ブロードキャストチャネル(PBCH)信号のうちの少なくとも1つを含む、請求項9に記載のUE。
【請求項１３】
前記複数の同期信号を受信することが、基地局の複数のビームのうちの少なくとも1つのビームを介して送信される同期信号ブロックを受信することであって、前記同期信号ブロックが前記処理された同期信号のうちの2つ以上を含む、ことを備える、請求項9に記載のUE。
【請求項１４】
前記複数の同期信号を受信するための手段が、
前記複数の同期信号の第1のグループを受信することによって第1の送信を受信することと、
前記第1の送信の1つまたは複数の反復送信を受信することであって、前記第1の送信の前記1つまたは複数の反復送信の各々が前記第1の送信の反復を含む、こととを行うように構成され、
前記第1の送信および前記第1の送信の前記1つまたは複数の反復送信が第1の同期サブフレーム内で受信される、請求項9に記載のUE。
【請求項１５】
プロセッサによって実行されると、請求項1または2から7のいずれか一項に記載の方法を実行させるための命令を備える、コンピュータプログラム。